(57)【要約】【課題】  間接活線工法によって引留クランプへ装着する際の作業を安全に行うことができ、さらに装着作業を効率よく短時間で行うことができるクランプカバー装置を提供する。【解決手段】  絶縁性を有する合成樹脂から成る２つのカバー体１１，１２によって規定される収容空間に、一方の架空配電線５の端部５ａと他方の架空配電線５の端部５ｂとを保持する引留クランプ４が収容される。一方カバー体１１の上側縁部１１ａと他方カバー体１２の上側縁部１２ａとは、ヒンジ部１３によって連結される。他方カバー体１２の下側縁部１２ｂには、一方カバー体１１と他方カバー体１２とが引留クランプ４全体を覆っているときに、一方カバー体１１の下側縁部１１ｂに重なる突出片１９を設ける。【選択図】      図１
2018182791.tif 000002
【特許請求の範囲】
【請求項１】
一方の電線の端部と他方の電線の端部とを保持する引留クランプに装着され、絶縁性を有する合成樹脂から成り、前記引留クランプを収容する収容空間を規定する２つのカバー体を有するクランプカバー装置であって、
一方カバー体の一側縁部と他方カバー体の一側縁部との間に設けられ、前記一方カバー体と前記他方カバー体とを共通な軸線まわりに角変位可能に連結するヒンジ部と、
前記一方カバー体と他方カバー体とが前記引留クランプ全体を覆っているときに、前記一方カバー体の他側縁部に重なるように、前記他方カバー体の他側縁部に設けられた突出片と、を備えたことを特徴とするクランプカバー装置。
【発明の詳細な説明】
【技術分野】
【０００１】
本発明は、架空配電線を引留めておく引留クランプに間接活線工法によって装着されるクランプカバー装置に関する。
【背景技術】
【０００２】
電柱間に架設される架空配電線は、電柱に耐張碍子を介して取り付けられた引留クランプによって把持されている。引留クランプは、鳥獣害等による架空配電線の故障が生じるのを防止するために、充電部が露出しないようにクランプカバーによって覆われている。
【０００３】
従来から、間接活線工法によって引留クランプに装着可能に構成されたクランプカバーが、多数提案されている。たとえば、特許文献１，２には、このようなクランプカバーとして、引留クランプを収容するための凹所がそれぞれ形成され、上縁部同士がヒンジによって開閉可能に連結された一対のカバー片と、一対のカバー片における下縁部同士および側縁部同士を着脱可能に係合する複数の係合部とを備え、各係合部が、一方のカバー片に設けられた、凸部を有する第１係合片と、他方のカバー片に設けられた、凸部を挿入可能な係合孔が形成された第２係合片とから成り、ヤットコとも称される間接工具によって、第１係合片と第２係合片とを挟着し、凸部を係合孔に挿入させて係合片同士を係合させるクランパーが開示されている。
【先行技術文献】
【特許文献】
【０００４】
【特許文献１】特許第２９４６３２９号公報
【特許文献２】特許第３７１４７３８号公報
【発明の概要】
【発明が解決しようとする課題】
【０００５】
従来から、クランプカバーを間接活線工法によって引留クランプに装着する作業は、次のような方法で行われている。まず、一方のカバー片に設けられた把持片（特許文献１に開示されるクランプカバーにおいては、一方のカバー片の正面壁から突出した摘み片）を、間接工具の挟着部で挟持することによって、クランプカバーを間接工具で把持し、その状態で間接工具を移動させることによって、クランプカバーを引留クランプの上方から被せ、さらに、引留クランプがカバー片の凹所内の適所に納まるように、クランプカバーを配置する。
【０００６】
次に、間接工具を操作して挟着部による把持片の挟持を解除した後、半開き状態で引留クランプを跨いでいるクランプカバーの第１係合片と第２係合片とを、間接工具の挟着部で順次挟着して係合させることによって、一対のカバー片における下縁部同士および側縁部同士を閉塞して、装着作業が完了する。
【０００７】
このように、間接活線工法によりクランプカバーを装着する際には、クランプカバーを引留クランプの上方から被せた後、係合片同士を係合させるために、クランプカバーの第１係合片と第２係合片とを間接工具の挟着部によって挟着したとき、各カバー片の下縁部同士がずれてしまい、下縁部同士を対向した位置に正確に位置決めできない場合がある。
【０００８】
この場合、間接工具による各係合片の挟持を一端解除した後、再度、各係合片を挟着部で挟持することによって、各下縁部同士が正確に対向した位置で噛み合うように挟持する作業が必要となり、装着作業に手間がかかってしまい、装着作業の作業効率を著しく低下させるという問題がある。
【０００９】
本発明の目的は、間接活線工法によって引留クランプへ装着する際の作業を安全に行うことができ、さらに装着作業を効率よく短時間で行うことができるクランプカバーを提供することである。
【課題を解決するための手段】
【００１０】
本発明は、一方の電線の端部と他方の電線の端部とを保持する引留クランプに装着され、絶縁性を有する合成樹脂から成り、前記引留クランプを収容する収容空間を規定する２つのカバー体を有するクランプカバー装置であって、
一方カバー体の一側縁部と他方カバー体の一側縁部との間に設けられ、前記一方カバー体と前記他方カバー体とを共通な軸線まわりに角変位可能に連結するヒンジ部と、
前記一方カバー体と他方カバー体とが前記引留クランプ全体を覆っているときに、前記一方カバー体の他側縁部に重なるように、前記他方カバー体の他側縁部に設けられた突出片と、を備えたことを特徴とするクランプカバー装置である。
【発明の効果】
【００１１】
本発明によれば、絶縁性を有する合成樹脂から成る２つのカバー体によって規定される収容空間に、一方の電線の端部と他方の電線の端部とを保持する引留クランプが収容される。一方カバー体の一側縁部と他方カバー体の一側縁部とは、ヒンジ部によって共通な軸線まわりに角変位可能に連結される。他方カバー体の他側縁部には、一方カバー体と他方カバー体とが引留クランプ全体を覆っているときに、一方カバー体の他側縁部に重なる突出片が設けられる。
【００１２】
突出片が一方カバー体に設けられることによって、間接工具によって一方カバー体と他方カバー体とを引留クランプ全体を覆うように挟着したとき、一方カバー体の他側縁部に対して他方カバー体の他側縁部が重なる位置からずれても、突出片に他方カバー体の他側縁部が一方カバー体の他側縁部に重なる位置へ案内され、確実に各カバー体を引留クランプに装着することができる。これによって、間接活線工法によって引留クランプへ装着する際の作業を安全に行うことができ、さらに、装着作業を効率よく短時間で行うことができる。
【図面の簡単な説明】
【００１３】
【図１】本発明の一実施形態に係るクランプカバー装置１の断面図である。
【図２】クランプカバー装置１の先端部２付近の拡大断面図である。
【図３】図２の切断面線ＩＩＩ−ＩＩＩから見た断面図である。
【図４】クランプカバー装置１の開状態の右側面図である。
【図５】クランプカバー装置１が耐張碍子３および引留クランプ４に装着された状態を示す断面図である。
【図６】他方カバー体１２を示す図であり、図６（１）は他方カバー体１２の平面図であり、図６（２）は他方カバー体１２の正面図であり、図６（３）は他方カバー体１２の底面図であり、図６（４）は図６（２）に示される他方カバー体１２を下方から見た断面図である。
【図７】他方カバー体１２を図１の切断面線ＶＩＩ−ＶＩＩから見た拡大断面図である。
【図８】他方カバー体１２を図１の切断面線ＶＩＩＩ−ＶＩＩＩから見た拡大断面図である。
【図９】他方カバー体１２を図１の切断面線ＩＸ−ＩＸから見た拡大断面図である。
【図１０】クランプカバー装置１を図１の切断面線Ｘ−Ｘから見た断面図である。
【発明を実施するための形態】
【００１４】
図１は本発明の一実施形態に係るクランプカバー装置１の断面図であり、図２はクランプカバー装置１の先端部２付近の拡大断面図であり、図３は図２の切断面線ＩＩＩ−ＩＩＩから見た断面図である。図４はクランプカバー装置１の開状態の右側面図であり、図５はクランプカバー装置１が耐張碍子３および引留クランプ４に装着された状態を示す断面図である。本実施形態のクランプカバー装置１は、アルミ電線などの架空配電線５を引留めるために、電柱などの構造物に耐張碍子３を介して取り付けられた引留クランプ４に対して、ヤットコとも呼ばれる間接工具を用いた間接活線工法によって装着可能に構成されている。
【００１５】
まず、本実施形態のクランプカバー装置１の装着対象である引留クランプ４および耐張碍子３について説明する。引留クランプ４は、所定の張力で張設された架空配電線５を、電柱などの構造物の近傍において挟持（クランプ）し、耐張碍子３に引き留めるために用いられる部材であり、鋳鉄またはアルミニウムなどの金属材料によって構成されている。このような引留クランプ４によって、一方の電線の端部と他方の電線の端部とを保持する。
【００１６】
耐張碍子３は、大略的に円柱状に形成された磁器本体３１と、棒状の軸部３２ａおよび軸部３２ａの一端に一体的に設けられた円環状の環状部３２ｂとを有する連結金具３２とを備える。連結金具３２は、軸部３２ａが、磁器本体３１における中央部を通って、磁器本体３１の中心軸線に平行に延び、かつ、環状部３２ｂが磁器本体３１における軸線方向の一方側の端部よりも外方に配置されて、磁器本体３１に固設されている。
【００１７】
このような耐張碍子３は、電柱などの構造物に対して、磁器本体３１の中心軸線が略水平に延び、かつ、一端部とは反対側の他端部が、その構造物側に配置されるような姿勢で設置される。
【００１８】
引留クランプ４は、その長手方向の一方側に、耐張碍子３における環状部３２ｂに形成された透孔３５の軸線まわりに回動自在に、その環状部３２ｂに対して連結された、たとえばコッタピンおよびコッタボルトを備える連結部２１が設けられる。引留クランプ４の長手方向の他方側には、架空配電線５を挟持するための挟持部２２、およびシメラーあるいは張線器などとも称される緊線工具を取り付けるための係止孔２３ａが形成された係止部２３が設けられて構成される。
【００１９】
係止部２３は、挟持部２２の下側に設けられており、係止孔２３ａは、引留クランプ４と耐張碍子３とを連結した状態において、耐張碍子３における磁器本体３１の軸線方向および鉛直方向のいずれにも垂直な方向に貫通するように形成されている。この係止部２３は、架空配電線５の張設作業を行うために設けられているものであり、張設作業後には利用されないものである。
【００２０】
クランプカバー装置１は、引留クランプ４に設けられた係止部２３を有効利用することにより、間接活線工法によって引留クランプ４へ装着する際の作業を安全に行うことができ、さらに装着作業を効率よく短時間で行うことができるように構成される。以下にその具体的な構造について説明する。
【００２１】
クランプカバー装置１は、閉状態としたものを図１の正面側から見たときに、左側に配置される一方カバー体１１と、右側に配置される他方カバー体１２と、一方カバー体１１の一側縁部である上側縁部１１ａと他方カバー体１２の一側縁部である上側縁部１２ａとに連なり、一方カバー体１１と他方カバー体１２とを所定の軸線まわりに回動可能に連結する長尺状のヒンジ部１３と、一方カバー体１１の他側縁部である下側縁部１１ｂと他方カバー体１２の他側縁部である下側縁部１２ｂとを着脱可能に係合する２つの下係合部１４と、一方カバー体１１の下側縁部１１ｂにおいて２つの下係合部１４間に設けられ、ヤットコとも称される間接工具によって挟持可能な挟持片１６とを有する。
【００２２】
このようなクランプカバー装置１は、絶縁性を有する樹脂の一体成形によって形成することができる。絶縁性を有する合成樹脂としては、たとえばポリエチレンまたは難燃性エラストマなどを用いることができる。
【００２３】
図６は他方カバー体１２を示す図であり、図６（１）は他方カバー体１２の平面図であり、図６（２）は他方カバー体１２の正面図であり、図６（３）は他方カバー体１２の底面図であり、図６（４）は図６（２）に示される他方カバー体１２を下方から見た断面図である。前述のクランプカバー装置１において、一方カバー体１１と他方カバー体１２とが引留クランプ４に装着されて全体を覆っている状態で、一方カバー体１１の下側縁部１１ｂに重なるように、他方カバー体１２の下側縁部１２ｂに突出片１９が設けられる。このような突出片１９によって、各カバー体１１，１２の下係合部１４を間接工具によって挟着したと、各下側縁部１１ｂ，１２ｂ間にすれが生じても、突出片１９によって他方カバー体１２の下側縁部１２ｂに一方カバー体１１の下側縁部１１ｂが重なるように案内されて、嵌着される。
【００２４】
各カバー体１１，１２において、上側縁部１１ａ，１２ａは、直線状に延設され、クランプカバー装置１を引留クランプ４へ装着した状態において、クランプカバー装置１の上部に配置される。また、下側縁部１１ｂ，１２ｂは、クランプカバー装置１の先端部２から図１の左方である背後側に向かって、上側縁部１１ａ，１２ａから離反するように延設され、クランプカバー装置１を引留クランプ４へ装着した状態において、クランプカバー装置１の下部に配置され、ほぼ水平に延びる。したがって、上側縁部１１ａ，１２ａは、クランプカバー装置１を引留クランプ４へ装着した状態において、先端部２から背後に向かって上方へ傾斜して延びる。
【００２５】
ここで、クランプカバー装置１において、「閉状態」とは、一方カバー体１１の下側縁部１１ｂと他方カバー体１２の下側縁部１２ｂとが対向し、内部空間が閉鎖された状態をいう。また「開状態」とは、一方カバー体１１の下側縁部１１ｂと他方カバー体１２の下側縁部１２ｂとが離反し、内部空間が閉鎖された状態をいう。なお、図４では、一方カバー体１１と他方カバー体１２とがヒンジ部１３の軸線まわりに１８０°度回動させた開状態を示している。
【００２６】
一方カバー体１１は、閉状態で図１の右側から見たときに、左方に向かって開放した凹状体を成し、他方カバー体１２は、閉状態で図１右側から見たときに、右方に向かって開放した凹状体を成す。各カバー体１１，１２は、閉状態において、上側縁部１１ａ，１２ａ同士が対向し、下側縁部１１ｂ，１２ｂ同士が隣接して重なるように構成されている。各カバー体１１，１２は、閉状態において、内部空間内に引留クランプ４が嵌まり込んだ状態で収容され、各カバー体１１，１２内での変位が阻止されている。
【００２７】
クランプカバー装置１は、閉状態において、引留クランプ４の挟持部２２によって挟持された架空配電線５の導入側の端部５ａを挿通可能な導入側開口２７と、引留クランプ４の挟持部２２によって挟持された架空配電線５の導出側の端部５ｂを挿通可能な導出側開口２８とを有する。
【００２８】
図７は他方カバー体１２を図１の切断面線ＶＩＩ−ＶＩＩから見た拡大断面図であり、図８は他方カバー体１２を図１の切断面線ＶＩＩＩ−ＶＩＩＩから見た拡大断面図であり、図９は他方カバー体１２を図１の切断面線ＩＸ−ＩＸから見た拡大断面図であり、図１０はクランプカバー装置１を図１の切断面線Ｘ−Ｘから見た断面図である。突出片１９は、他方カバー体１２の下側縁部１２ｂから一方カバー体１１の下側縁部１１ｂの、一方カバー体１１と他方カバー体１２との角変位時の移動経路ｍから外側に立上がる案内面１９ａを有し、かつ他方カバー体１２の下側縁部１２ｂに沿って延びる。このような構成によって、間接工具によって挟着される下係合部１４近傍のより大きな変形を許容し、一方カバー体１１の下側縁部１１ｂを他方カバー体１２の下側縁部１２ｂに重なるように案内することができる。
【００２９】
本実施形態のクランプカバー装置１によれば、絶縁性を有する合成樹脂から成る２つのカバー体１１，１２によって規定される収容空間に、一方の架空配電線５の端部５ａと他方の架空配電線５ｂの端部とを保持する引留クランプ４が収容される。一方カバー体１１の上側縁部１１ａと他方カバー体１２の上側縁部１２ａとは、ヒンジ部１３によって共通な軸線まわりに角変位可能に連結される。他方カバー体１２の下側縁部１２ｂには、一方カバー体１１と他方カバー体１２とが引留クランプ４全体を覆っているときに、一方カバー体１１の下側縁部１１ｂに重なる突出片１９が設けられる。
【００３０】
突出片１９が他方カバー体１２に設けられることによって、間接工具によって一方カバー体１１と他方カバー体１２とを引留クランプ４全体を覆うように挟着したとき、一方カバー体１１の下側縁部１１ｂが他方カバー体１２の下側縁部１２ｂに重なる位置からずれても、突出片１９によって他方カバー体１２の下側縁部１２ｂに一方カバー体１１の下側縁部１１ｂが重なる位置へ案内され、確実に各カバー体１１，１２を引留クランプ４に装着することができる。これによって、間接活線工法によって引留クランプ４へ装着する際の作業を安全に行うことができ、さらに、装着作業を効率よく短時間で行うことができる。
【符号の説明】
【００３１】
１  クランプカバー装置
２  先端部
３  引留クランプ
４  耐張碍子
５  架空配電線
１１  一方カバー体
１１ａ，１２ａ  上側縁部
１１ｂ，１２ｂ  下側縁部
１２  他方カバー体
１３  ヒンジ部
１６  挟持片
１９  突出片
【図１】
2018182791.tif 000003
【図２】
2018182791.tif 000004
【図３】
2018182791.tif 000005
【図４】
2018182791.tif 000006
【図５】
2018182791.tif 000007
【図６】
2018182791.tif 000008
【図７】
2018182791.tif 000009
【図８】
2018182791.tif 000010
【図９】
2018182791.tif 000011
【図１０】
2018182791.tif 000012